(57)【要約】  本発明の実施例は、信号を伝送するための方法、ネットワーク装置及び端末装置を開示する。該方法は、第一の端末装置へ指示情報を送信することであって、該指示情報がダウンリンク制御信号を受信するために該第一の端末装置によって用いられるリソース領域を示すことに用いられることと、該リソース領域で該第一の端末装置へ該ダウンリンク制御信号を送信することとを含む。本発明の実施例による方法、ネットワーク装置及び端末装置は、システム性能を向上させることができ、そして端末装置のエネルギー消費量を削減することができる。
2019536345.tif 000002
【特許請求の範囲】
【請求項１】
信号を伝送するための方法であって、
第一の端末装置へ指示情報を送信することであって、前記指示情報がダウンリンク制御信号を受信するために前記第一の端末装置によって用いられるリソース領域を示すことに用いられることと、
前記リソース領域で前記第一の端末装置へ前記ダウンリンク制御信号を送信することとを含むことを特徴とする、前記方法。
【請求項２】
前記リソース領域が複数の物理リソースブロックを含み、前記複数の物理リソースブロックのいずれかの２つの物理リソースブロックが周波数領域において連続的又は離散的であることを特徴とする
請求項１に記載の方法。
【請求項３】
前記指示情報は第一のビットテーブルを含み、前記第一のビットテーブルにおける各ビットがシステム帯域幅における各物理リソースブロックに対応し、前記第一のビットテーブルにおける第一の値であるビットは該ビットに対応する物理リソースブロックが前記リソース領域に属することを示すことを特徴とする
請求項２に記載の方法。
【請求項４】
前記指示情報は開始周波数ポイント及び第二のビットテーブルを含み、前記第二のビットテーブルにおける複数のビットが前記開始周波数ポイントから連続する複数の物理リソースブロックに対応し、前記複数のビットが前記複数の物理リソースブロックと一対一で対応し、前記第二のビットテーブルにおける第一の値であるビットは該ビットに対応する物理リソースブロックが前記リソース領域に属することを示すことを特徴とする
請求項２に記載の方法。
【請求項５】
前記指示情報はシステム帯域幅における前記リソース領域の開始位置を示すための開始周波数ポイント及びシステム帯域幅における終了位置を示すための終了周波数ポイントを含むことを特徴とする
請求項２に記載の方法。
【請求項６】
前記指示情報はシステム帯域幅における前記リソース領域の開始位置を示すための開始周波数ポイント及び前記リソース領域の帯域幅長を含むことを特徴とする
請求項２に記載の方法。
【請求項７】
第一の端末装置へ指示情報を送信することは、
システムメッセージ又は上位層シグナリングにより前記第一の端末装置へ前記指示情報を送信することを含むことを特徴とする
請求項３−６のいずれか一項に記載の方法。
【請求項８】
前記リソース領域は第一のスロット又は第一のミニスロットにおける第一の直交周波数分割多重（ＯＦＤＭ）シンボルから始まる少なくとも１つの連続したＯＦＤＭシンボルを含み、前記指示情報は前記リソース領域における前記第一のスロット又は前記第一のミニスロットに属するＯＦＤＭシンボルの数を含むことを特徴とする
請求項１に記載の方法。
【請求項９】
第一の端末装置へ指示情報を送信することは、
システムメッセージ、上位層シグナリング又は物理層シグナリングにより前記第一の端末装置へ前記指示情報を送信することを含むことを特徴とする
請求項８に記載の方法。
【請求項１０】
前記上位層シグナリングは無線リソース制御（ＲＲＣ）メッセージを含み、前記システムメッセージはシステム情報ブロック（ＳＩＢ）メッセージ及び物理ブロードキャストチャネル（ＰＢＣＨ）メッセージを含み、前記物理層シグナリングは少なくとも一つのスロット又は少なくとも一つのミニスロットから送信された共通シグナリング又は前記第一の端末装置への専用シグナリングを含むことを特徴とする
請求項９に記載の方法。
【請求項１１】
前記リソース領域で前記第一の端末装置へダウンリンク制御信号を送信することはさらに、
前記リソース領域に対応するビームを使用して、前記リソース領域で前記第一の端末装置へ前記ダウンリンク制御信号を送信することを含むことを特徴とする
請求項１−１０のいずれか一項に記載の方法。
【請求項１２】
前記方法はさらに、
ダウンリンク制御信号を含むための少なくとも一つの制御チャネルのうちの各制御チャネルを少なくとも一つの制御チャネルユニットに分解し、前記リソース領域にマッピングして送信することであって、前記複数の制御チャネルが複数の端末装置と一対一で対応し、前記複数の端末装置が前記第一の端末装置を含むことを含むことを特徴とする
請求項１−１１のいずれか一項に記載の方法。
【請求項１３】
前記少なくとも一つの制御チャネルのうちの異なる制御チャネルユニットは前記リソース領域の異なる物理リソースブロック及び／又は異なるＯＦＤＭシンボルにマッピングされ、及び／又は
前記少なくとも一つの制御チャネルのうちの第一の制御チャネルの少なくとも一つの制御チャネルユニットは前記リソース領域の同一の物理リソースブロック内の全てのＯＦＤＭシンボルにマッピングされ、及び／又は
前記少なくとも一つの制御チャネルのうちの異なる制御チャネルユニットは前記リソース領域の同一のＯＦＤＭシンボル内の少なくとも一部の物理リソースブロックにマッピングされることを特徴とする
請求項１２に記載の方法。
【請求項１４】
前記方法はさらに、
前記第一の端末装置によって用いられたビームに基づき、前記ビームに対応する前記リソース領域を確定すること、又は
前記第一の端末装置の隣セルに基づき、前記隣セルに対応する前記リソース領域を確定すること、又は
セルでの前記第一の端末装置の位置及び前記第一の端末装置の移動特性に基づき、前記リソース領域を確定すること、又は
ネットワーク装置の負荷に基づき、前記リソース領域を確定することを含むことを特徴とする
請求項１−１３のいずれか一項に記載の方法。
【請求項１５】
信号を伝送するための方法であって、
ネットワーク装置から送信された指示情報を受信することであって、前記指示情報がダウンリンク制御信号を受信するために第一の端末装置によって用いられるリソース領域を示すことに用いられることと、
前記指示情報に基づき、前記リソース領域で前記ネットワーク装置から送信された前記ダウリンク制御信号を受信することとを含むことを特徴とする、前記方法。
【請求項１６】
前記リソース領域が複数の物理リソースブロックを含み、前記複数の物理リソースブロックのいずれかの２つの物理リソースブロックが周波数領域において連続的又は離散的であることを特徴とする
請求項１５に記載の方法。
【請求項１７】
前記指示情報は第一のビットテーブルを含み、前記第一のビットテーブルにおける各ビットがシステム帯域幅における各物理リソースブロックに対応し、前記第一のビットテーブルにおける第一の値であるビットは該ビットに対応する物理リソースブロックが前記リソース領域に属することを示すことを特徴とする
請求項１６に記載の方法。
【請求項１８】
前記指示情報は開始周波数ポイント及び第二のビットテーブルを含み、前記第二のビットテーブルにおける複数のビットが前記開始周波数ポイントから連続する複数の物理リソースブロックに対応し、前記複数のビットが前記複数の物理リソースブロックと一対一で対応し、前記第二のビットテーブルにおける第一の値であるビットは該ビットに対応する物理リソースブロックが前記リソース領域に属することを示すことを特徴とする
請求項１６に記載の方法。
【請求項１９】
前記指示情報はシステム帯域幅における前記リソース領域の開始位置を示すための開始周波数ポイント及びシステム帯域幅における終了位置を示すための終了周波数ポイントを含むことを特徴とする
請求項１６に記載の方法。
【請求項２０】
前記指示情報はシステム帯域幅における前記リソース領域の開始位置を示すための開始周波数ポイント及び前記リソース領域の帯域幅長を含むことを特徴とする
請求項１６に記載の方法。
【請求項２１】
前記第一の端末装置から送信された指示情報を受信することは、
システムメッセージ又は上位層シグナリングにより前記第一の端末装置から送信された前記指示情報を受信することを含むことを特徴とする
請求項１７−２０のいずれか一項に記載の方法。
【請求項２２】
前記リソース領域は第一のスロット又は第一のミニスロットにおける第一の直交周波数分割多重（ＯＦＤＭ）シンボルから始まる少なくとも一つの連続したＯＦＤＭシンボルを含み、前記指示情報は前記リソース領域における前記第一のスロット又は前記第一のミニスロットに属するＯＦＤＭシンボルの数を含むことを特徴とする
請求項１５に記載の方法。
【請求項２３】
ネットワーク装置から送信された指示情報を受信することは、
システムメッセージ、上位層シグナリング又は物理層シグナリングにより前記ネットワーク装置から送信された前記指示情報を受信することを含むことを特徴とする
請求項２２に記載の方法。
【請求項２４】
前記上位層シグナリングは無線リソース制御（ＲＲＣ）メッセージを含み、前記システムメッセージはシステム情報ブロック（ＳＩＢ）メッセージ及び物理ブロードキャストチャネル（ＰＢＣＨ）メッセージを含み、前記物理層シグナリングは少なくとも一つのスロット又は少なくとも一つのミニスロットから送信された共通シグナリング又は前記第一の端末装置への専用シグナリングを含むことを特徴とする
請求項２３に記載の方法。
【請求項２５】
前記指示情報に基づき、前記リソース領域で前記ネットワーク装置から送信された前記ダウンリンク制御信号を受信することは、
前記指示情報に基づき、前記リソース領域で前記ネットワーク装置から送信された、前記第一の端末装置のダウリンク制御チャネルに対応する少なくとも一つの制御チャネルユニットを受信することと、
前記少なくとも一つの制御チャネルユニットに基づいて組み合わせて前記ダウンリンク制御信号を生成することとを含むことを特徴とする
請求項１５−２４のいずれか一項に記載の方法。
【請求項２６】
前記リソース領域で前記ネットワーク装置から送信された前記ダウンリンク制御信号を受信することは、
前記リソース領域に対応するビームを使用して、前記リソース領域で前記ネットワーク装置から送信された前記ダウンリンク制御信号を受信することを含むことを特徴とする
請求項１５−２５のいずれか一項に記載の方法。
【請求項２７】
信号を伝送するためのネットワーク装置であって、
第一の端末装置へ指示情報を送信するように構成される第一の送信ユニットであって、前記指示情報がダウンリンク制御信号を受信するために前記第一の端末装置によって用いられるリソース領域を示すことに用いられる第一の送信ユニットと、
前記リソース領域で前記第一の端末装置へ前記ダウンリンク制御信号を送信する第二の送信ユニットとを備えることを特徴とする、前記ネットワーク装置。
【請求項２８】
前記リソース領域が複数の物理リソースブロックを含み、前記複数の物理リソースブロックのいずれかの２つの物理リソースブロックが周波数領域において連続的又は離散的であることを特徴とする
請求項２７に記載のネットワーク装置。
【請求項２９】
前記指示情報は第一のビットテーブルを含み、前記第一のビットテーブルにおける各ビットがシステム帯域幅における各物理リソースブロックに対応し、前記第一のビットテーブルにおける第一の値であるビットは該ビットに対応する物理リソースブロックが前記リソース領域に属することを示すことを特徴とする
請求項２８に記載のネットワーク装置。
【請求項３０】
前記指示情報は開始周波数ポイント及び第二のビットテーブルを含み、前記第二のビットテーブルにおける複数のビットが前記開始周波数ポイントから連続する複数の物理リソースブロックに対応し、前記複数のビットが前記複数の物理リソースブロックと一対一で対応し、前記第二のビットテーブルにおける第一の値であるビットは該ビットに対応する物理リソースブロックが前記リソース領域に属することを示すことを特徴とする
請求項２８に記載のネットワーク装置。
【請求項３１】
前記指示情報はシステム帯域幅における前記リソース領域の開始位置を示すための開始周波数ポイント及びシステム帯域幅における終了位置を示すための終了周波数ポイントを含むことを特徴とする
請求項２８に記載のネットワーク装置。
【請求項３２】
前記指示情報はシステム帯域幅における前記リソース領域の開始位置を示すための開始周波数ポイント及び前記リソース領域の帯域幅長を含むことを特徴とする
請求項２８に記載のネットワーク装置。
【請求項３３】
前記第一の送信ユニットは具体的に、
システムメッセージ又は上位層シグナリングにより前記第一の端末装置へ前記指示情報を送信するように構成されることを特徴とする
請求項２９−３２のいずれか一項に記載のネットワーク装置。
【請求項３４】
前記リソース領域は第一のスロット又は第一のミニスロットにおける第一の直交周波数分割多重（ＯＦＤＭ）シンボルから始まる少なくとも一つの連続したＯＦＤＭシンボルを含み、前記指示情報は前記リソース領域における前記第一のスロット又は前記第一のミニスロットに属するＯＦＤＭシンボルの数を含むことを特徴とする
請求項２７に記載のネットワーク装置。
【請求項３５】
前記第一の送信ユニットは具体的に、
システムメッセージ、上位層シグナリング又は物理層シグナリングにより前記第一の端末装置へ前記指示情報を送信するように構成されることを特徴とする
請求項３４に記載のネットワーク装置。
【請求項３６】
前記上位層シグナリングは無線リソース制御（ＲＲＣ）メッセージを含み、前記システムメッセージはシステム情報ブロック（ＳＩＢ）メッセージ及び物理ブロードキャストチャネル（ＰＢＣＨ）メッセージを含み、前記物理層シグナリングは少なくとも一つのスロット又は少なくとも一つのミニスロットから送信された共通シグナリング又は前記第一の端末装置への専用シグナリングを含むことを特徴とする
請求項３５に記載のネットワーク装置。
【請求項３７】
前記第二の送信ユニットは具体的に、
前記リソース領域に対応するビームを使用して、前記リソース領域で前記第一の端末装置へ前記ダウンリンク制御信号を送信するように構成されることを特徴とする
請求項２７−３６のいずれか一項に記載のネットワーク装置。
【請求項３８】
前記ネットワーク装置はさらに、
ダウンリンク制御信号を含むための少なくとも一つの制御チャネルのうちの各制御チャネルを少なくとも一つの制御チャネルユニットに分解し、前記リソース領域にマッピングして送信するように構成される分解ユニットであって、前記複数の制御チャネルが複数の端末装置と一対一で対応し、前記複数の端末装置が前記第一の端末装置を含む分解ユニットを備えることを特徴とする
請求項２７−３７のいずれか一項に記載のネットワーク装置。
【請求項３９】
前記少なくとも一つの制御チャネルのうちの異なる制御チャネルユニットは前記リソース領域の異なる物理リソースブロック及び／又は異なるＯＦＤＭシンボルにマッピングされ、及び／又は
前記少なくとも一つの制御チャネルのうちの第一の制御チャネルの少なくとも一つの制御チャネルユニットは前記リソース領域の同一の物理リソースブロック内の全てのＯＦＤＭシンボルにマッピングされ、及び／又は
前記少なくとも一つの制御チャネルのうちの異なる制御チャネルユニットは前記リソース領域の同一のＯＦＤＭシンボル内の少なくとも一部の物理リソースブロックにマッピングされることを特徴とする
請求項３８に記載のネットワーク装置。
【請求項４０】
前記ネットワーク装置はさらに、
前記第一の端末装置によって用いられたビームに基づき、前記ビームに対応する前記リソース領域を確定するように構成され、又は
前記第一の端末装置の隣セルに基づき、前記隣セルに対応する前記リソース領域を確定するように構成され、又は
セルでの前記第一の端末装置の位置及び前記第一の端末装置の移動特性に基づき、前記リソース領域を確定するように構成され、又は
ネットワーク装置の負荷に基づき、前記リソース領域を確定するように構成される確定ユニットを備えることを特徴とする
請求項２７−３９のいずれか一項に記載のネットワーク装置。
【請求項４１】
信号を伝送するための端末装置であって、
ネットワーク装置から送信された指示情報を受信するように構成される第一の受信ユニットであって、前記指示情報がダウンリンク制御信号を受信するために第一の端末装置によって用いられるリソース領域を示すことに用いられる第一の受信ユニットと、
前記指示情報に基づき、前記リソース領域で前記ネットワーク装置から送信された前記ダウリンク制御信号を受信するように構成される第二の受信ユニットとを備えることを特徴とする、前記端末装置。
【請求項４２】
前記リソース領域が複数の物理リソースブロックを含み、前記複数の物理リソースブロックのいずれかの２つの物理リソースブロックが周波数領域において連続的又は離散的であることを特徴とする
請求項４１に記載の端末装置。
【請求項４３】
前記指示情報は第一のビットテーブルを含み、前記第一のビットテーブルにおける各ビットがシステム帯域幅における各物理リソースブロックに対応し、前記第一のビットテーブルにおけるビットが第一の値であるであると対応する物理リソースブロックが前記リソース領域に属することを示すことを特徴とする
請求項４２に記載の端末装置。
【請求項４４】
前記指示情報は開始周波数ポイント及び第二のビットテーブルを含み、前記第二のビットテーブルにおける複数のビットが前記開始周波数ポイントから連続する複数の物理リソースブロックに対応し、前記複数のビットが前記複数の物理リソースブロックと一対一で対応し、前記第二のビットテーブルにおける第一の値であるビットは該ビットに対応する物理リソースブロックが前記リソース領域に属することを示すことを特徴とする
請求項４２に記載の端末装置。
【請求項４５】
前記指示情報はシステム帯域幅における前記リソース領域の開始位置を示すための開始周波数ポイント及びシステム帯域幅における終了位置を示すための終了周波数ポイントを含むことを特徴とする
請求項４２に記載の端末装置。
【請求項４６】
前記指示情報はシステム帯域幅における前記リソース領域の開始位置を示すための開始周波数ポイント及び前記リソース領域の帯域幅長を含むことを特徴とする
請求項４２に記載の端末装置。
【請求項４７】
前記第一の受信ユニットは具体的に、
システムメッセージ又は上位層シグナリングにより前記第一の端末装置から送信された前記指示情報を受信するように構成されることを特徴とする
請求項４３−４６のいずれか一項に記載の端末装置。
【請求項４８】
前記リソース領域は第一のスロット又は第一のミニスロットにおける第一の直交周波数分割多重（ＯＦＤＭ）シンボルから始まる少なくとも一つの連続したＯＦＤＭシンボルを含み、前記指示情報は前記リソース領域における前記第一のスロット又は前記第一のミニスロットに属するＯＦＤＭシンボルの数を含むことを特徴とする
請求項４１に記載の端末装置。
【請求項４９】
前記第一の受信ユニットは具体的に、
システムメッセージ、上位層シグナリング又は物理層シグナリングにより前記ネットワーク装置から送信された前記指示情報を受信するように構成されることを特徴とする
請求項４８に記載の端末装置。
【請求項５０】
前記上位層シグナリングは無線リソース制御（ＲＲＣ）メッセージを含み、前記システムメッセージはシステム情報ブロック（ＳＩＢ）メッセージ及び物理ブロードキャストチャネルＰＢＣＨメッセージを含み、前記物理層シグナリングは少なくとも一つのスロット又は少なくとも一つのミニスロットから送信された共通シグナリング又は前記第一の端末装置への専用シグナリングを含むことを特徴とする
請求項４９に記載の端末装置。
【請求項５１】
前記第二の受信ユニットは具体的に、
前記指示情報に基づき、前記リソース領域で前記ネットワーク装置から送信された、前記第一の端末装置のダウリンク制御チャネルに対応する少なくとも一つの制御チャネルユニットを受信し、
前記少なくとも一つの制御チャネルユニットに基づいて組み合わせて前記ダウンリンク制御信号を生成するように構成されることを特徴とする
請求項４１−５０のいずれか一項に記載の端末装置。
【請求項５２】
前記第二の受信ユニットは具体的に、
前記リソース領域に対応するビームを使用して、前記リソース領域で前記ネットワーク装置から送信された前記ダウンリンク制御信号を受信するように構成されることを特徴とする
請求項４１−５１のいずれか一項に記載の端末装置。
【発明の詳細な説明】
【技術分野】
【０００１】
本発明の実施例は通信分野に関し、特に信号を伝送するための方法、端末装置及びネットワーク装置に関する。
【背景技術】
【０００２】
長期進化（ＬＴＥ：Ｌｏｎｇ  Ｔｅｒｍ  Ｅｖｏｌｕｔｉｏｎ）中、物理ダウンリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）制御領域は各サブフレームの先頭の直交周波数分割多重（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）であり、システム帯域幅全体（２０ＭＨｚ以下）にわたっている。将来の通信システムのシステム帯域幅がＬＴＥシステムよりも広いため、端末装置が周波数帯域全体を監視して制御信号を検出することは不経済であり、多くの端末のエネルギーを消費する。
【発明の概要】
【発明が解決しようとする課題】
【０００３】
これに鑑みて、本発明の実施例は、システム性能を向上させ、そして端末装置のエネルギー消費量を削減することができる、信号を伝送するための方法及び装置を提供する。
【課題を解決するための手段】
【０００４】
第一の態様による信号を伝送するための方法は、第一の端末装置へ指示情報を送信することであって、該指示情報がダウンリンク制御信号を受信するために該第一の端末装置によって用いられるリソース領域を示すことに用いられることと、該リソース領域で該第一の端末装置へ該ダウンリンク制御信号を送信することとを含む。
【０００５】
端末装置が固定されたリソース領域で制御信号を検出することにより、システム性能を向上させ、そして端末装置のエネルギー消費量を削減することができる。
【０００６】
選択可能に、ネットワーク装置は端末装置ごとに一つのリソース領域を割り当てることができ、該リソース領域が対応する端末装置の専用ダウンリンク制御信号を伝送することに用いられてもよく、ネットワーク装置は該複数の端末装置の共通制御信号を伝送するための一つのリソース領域を複数の端末装置に割り当てることもでき、ネットワーク装置は共通制御信号を伝送するために一つのリソース領域を個別に割り当てなくてもよく、各端末装置が検出できることを保証するように、端末装置ごとに割り当てられた、専用ダウンリンク制御信号を伝送するためのリソース領域で共通ダウンリンク制御信号を送信することができる。
【０００７】
一つの可能な実施形態では、該リソース領域は少なくとも一つの物理リソースブロックを含み、リソース領域が複数の物理リソースブロックを含む時に、該複数の物理リソースブロックのいずれかの２つの物理リソースブロックが周波数領域において連続的又は離散的である。
【０００８】
一つの可能な実施形態では、該指示情報は第一のビットテーブルを含み、前記第一のビットテーブルにおける各ビットがシステム帯域幅における各物理リソースブロックに対応し、前記第一のビットテーブルにおける第一の値であるビットは該ビットに対応する物理リソースブロックが前記リソース領域に属することを示す。
【０００９】
一つの可能な実施形態では、該指示情報は開始周波数ポイント及び第二のビットテーブルを含み、前記第二のビットテーブルにおける複数のビットが前記開始周波数ポイントから連続する複数の物理リソースブロックに対応し、前記複数のビットが前記複数の物理リソースブロックと一対一で対応し、前記第二のビットテーブルにおける第一の値であるビットは該ビットに対応する物理リソースブロックが前記リソース領域に属することを示す。
【００１０】
一つの可能な実施形態では、該指示情報はシステム帯域幅における該リソース領域の開始位置を示すための開始周波数ポイント及びシステム帯域幅における終了位置を示すための終了周波数ポイントを含む。
【００１１】
一つの可能な実施形態では、該指示情報はシステム帯域幅における該リソース領域の開始位置を示すための開始周波数ポイント及び該リソース領域の帯域幅長を含む。
【００１２】
選択可能に、上記のいくつかのリソース領域の指示方式は組み合わせられてもよい。
【００１３】
一つの可能な実施形態では、指示情報がリソース領域の周波数領域パラメータを示す場合、システムメッセージ又は上位層シグナリングにより該第一の端末装置へ該指示情報を送信する。指示情報がリソース領域の時間領域パラメータを示す場合、システムメッセージ、上位層シグナリング又は物理層シグナリングにより該第一の端末装置へ該指示情報を送信する。
【００１４】
一つの可能な実施形態では、該リソース領域は第一のスロット又は第一のミニスロットにおける第一の直交周波数分割多重（ＯＦＤＭ）シンボルから始まる少なくとも１つの連続したＯＦＤＭシンボルを含み、該指示情報は前記リソース領域における前記第一のスロット又は前記第一のミニスロットに属するＯＦＤＭシンボルの数を含む。
【００１５】
一つの可能な実施形態では、該上位層シグナリングは無線リソース制御（ＲＲＣ）メッセージを含み、該システムメッセージはシステム情報ブロック（ＳＩＢ）メッセージ及び物理ブロードキャストチャネル（ＰＢＣＨ）メッセージを含み、該物理層シグナリングは少なくとも一つのスロット又は少なくとも一つのミニスロットから送信された共通シグナリング又は該第一の端末装置の専用シグナリングを含む。
【００１６】
一つの可能な実施形態では、該リソース領域で該第一の端末装置へダウンリンク制御信号を送信することは、さらに該リソース領域に対応するビームを使用して、該リソース領域で該第一の端末装置へ該ダウンリンク制御信号を送信することを含む。
【００１７】
選択可能に、ネットワーク装置はあるＯＦＤＭシンボルにおけるダウンリンク制御信号に対して特定のビームを用いてフォーミングして送信することができる。
【００１８】
一つの可能な実施形態では、該方法はさらにダウンリンク制御信号を含むための少なくとも一つの制御チャネルのうちの各制御チャネルを少なくとも一つの制御チャネルユニットに分解し、該リソース領域にマッピングして送信することであって、該複数の制御チャネルが複数の端末装置と一対一で対応し、該複数の端末装置が該第一の端末装置を含むことを含む。
【００１９】
一つの可能な実施形態では、該少なくとも一つの制御チャネルのうちの異なる制御チャネルユニットは該リソース領域の異なる物理リソースブロック及び／又は異なるＯＦＤＭシンボルにマッピングされ、及び／又は該少なくとも一つの制御チャネルのうちの第一の制御チャネルの少なくとも一つの制御チャネルユニットは該リソース領域の同一の物理リソースブロック内の全てのＯＦＤＭシンボルにマッピングされ、及び／又は該少なくとも一つの制御チャネルのうちの異なる制御チャネルユニットは該リソース領域の同一のＯＦＤＭシンボル内の少なくとも一部の物理リソースブロックにマッピングされる。
【００２０】
一つの可能な実施形態では、該方法はさらに該第一の端末装置によって用いられたビームに基づき、該ビームに対応するリソース領域を確定すること、又は該第一の端末装置の隣セルに基づき、該隣セルに対応する該リソース領域を確定すること、又はセルでの該第一の端末装置の位置及び該第一の端末装置の移動特性に基づき、該リソース領域を確定すること、又はネットワーク装置の負荷に基づき、該リソース領域を確定することを含む。
【００２１】
第二の態様による信号を伝送するための方法は、ネットワーク装置から送信された指示情報を受信することであって、該指示情報がダウンリンク制御信号を受信するために第一の端末装置によって用いられるリソース領域を示すことに用いられることと、該指示情報に基づき、該リソース領域で該ネットワーク装置から送信された該ダウンリンク制御信号を受信することとを含む。
【００２２】
端末装置が固定されたリソース領域で制御信号を検出することにより、システム性能を向上させることができ、そして端末装置のエネルギー消費量を削減することができる。
【００２３】
一つの可能な実施形態では、該リソース領域は少なくとも一つの物理リソースブロックを含み、リソース領域が複数の物理リソースブロックを含む時に、該複数の物理リソースブロックのいずれかの２つの物理リソースブロックが周波数領域において連続的又は離散的である。
【００２４】
一つの可能な実施形態では、該指示情報は第一のビットテーブルを含み、前記第一のビットテーブルにおける各ビットがシステム帯域幅における各物理リソースブロックに対応し、前記第一のビットテーブルにおける第一の値であるビットは該ビットに対応する物理リソースブロックが前記リソース領域に属することを示す。
【００２５】
一つの可能な実施形態では、該指示情報は開始周波数ポイント及び第二のビットテーブルを含み、前記第二のビットテーブルにおける複数のビットが前記開始周波数ポイントから連続する複数の物理リソースブロックに対応し、前記複数のビットが前記複数の物理リソースブロックと一対一で対応し、前記第二のビットテーブルにおける第一の値であるビットは該ビットに対応する物理リソースブロックが前記リソース領域に属することを示す。
【００２６】
一つの可能な実施形態では、該指示情報はシステム帯域幅における該リソース領域の開始位置を示すための開始周波数ポイント及びシステム帯域幅における終了位置を示すための終了周波数ポイントを含む。
【００２７】
一つの可能な実施形態では、該指示情報はシステム帯域幅における該リソース領域の開始位置を示すための開始周波数ポイント及び該リソース領域の帯域幅長を含む。
【００２８】
一つの可能な実施形態では、該リソース領域は第一のスロット又は第一のミニスロットにおける第一の直交周波数分割多重（ＯＦＤＭ）シンボルから始まる少なくとも１つの連続したＯＦＤＭシンボルを含み、該指示情報は前記リソース領域における前記第一のスロット又は前記第一のミニスロットに属するＯＦＤＭシンボルの数を含む。
【００２９】
一つの可能な実施形態では、指示情報がリソース領域の周波数領域パラメータを示す場合、システムメッセージ又は上位層シグナリングにより該第一の端末装置へ該指示情報を送信する。指示情報がリソース領域の時間領域パラメータを示す場合、システムメッセージ、上位層シグナリング又は物理層シグナリングにより該第一の端末装置へ該指示情報を送信する。
【００３０】
一つの可能な実施形態では、該上位層シグナリングは無線リソース制御（ＲＲＣ）メッセージを含み、該システムメッセージはシステム情報ブロック（ＳＩＢ）メッセージ及び物理ブロードキャストチャネル（ＰＢＣＨ）メッセージを含み、該物理層シグナリングは少なくとも一つのスロット又は少なくとも一つのミニスロットから送信された共通シグナリング又は該第一の端末装置の専用シグナリングを含む。
【００３１】
一つの可能な実施形態では、該指示情報に基づき、該リソース領域で該ネットワーク装置から送信された該ダウンリンク制御信号を受信することは、該指示情報に基づき、該リソース領域で該ネットワーク装置から送信された、該第一の端末装置のダウンリンク制御チャネルに対応する少なくとも一つの制御チャネルユニットを受信することと、該少なくとも一つの制御チャネルユニットに基づいて組み合わせて該ダウンリンク制御信号を生成することとを含む。
【００３２】
一つの可能な実施形態では、該リソース領域で該ネットワーク装置から送信された該ダウンリンク制御信号を受信することは、該リソース領域に対応するビームを使用して、該リソース領域で該ネットワーク装置から送信された該ダウンリンク制御信号を受信することを含む。
【００３３】
第三の態様によるネットワーク装置は上記第一の態様又は第一の態様のいずれかの可能な実施形態における方法を実行することに用いられる。具体的には、該ネットワーク装置は、上記第一の態様又は第一の態様のいずれかの可能な実施形態における方法を実行するためのユニットを備える。
【００３４】
第四の態様による端末装置は上記第二の態様又は第二の態様のいずれかの可能な実施形態における方法を実行することに用いられる。具体的には、該端末装置は、上記第二の態様又は第二の態様のいずれかの可能な実施形態における方法を実行するためのユニットを備える。
【００３５】
第五の態様によるネットワーク装置は、メモリ、プロセッサ、送受信機、通信インタフェースとバスシステムを備える。ここで、メモリ、プロセッサ及び送受信機はバスシステムを介して接続し、該メモリが命令を記憶するように構成され、該プロセッサが該メモリに記憶された命令を実行するように構成され、該命令が実行される場合、該プロセッサは第一の態様を実行し、そして入力されたデータ及び情報を受信し、操作結果を出力するように送受信機を制御する。
【００３６】
第六の態様による端末装置は、メモリ、プロセッサ、送受信機、通信インタフェースとバスシステムを備える。ここで、メモリ、プロセッサ及び送受信機はバスシステムを介して接続し、該メモリが命令を記憶するように構成され、該プロセッサが該メモリに記憶された命令を実行するように構成され、該命令が実行される場合、該プロセッサは第二の態様を実行し、そして入力されたデータ及び情報を受信し、操作結果を出力するように送受信機を制御する。
【００３７】
本開示のこれらの態様又は他の態様は以下の実施例の説明からより容易に明らかになる。
【図面の簡単な説明】
【００３８】
【図１】本発明の実施例の一つの可能な応用シーンを示す概略図である。
【図２】本発明の実施例における端末装置にリソース領域を割り当てることを示す概略ブロック図である。
【図３】本発明の実施例による信号を伝送するための方法を示す概略ブロック図である。
【図４】本発明の実施例におけるリソース領域を示すための周波数領域パラメータを示す概略図である。
【図５】本発明の実施例におけるリソース領域での複数の端末装置の制御チャネルユニットのマッピング図である。
【図６】本発明の実施例におけるリソース領域での複数の端末装置の制御チャネルユニットの別のマッピング図である。
【図７】本発明の実施例におけるリソース領域での複数の端末装置の制御チャネルユニットの別のマッピング図である
【図８】本発明の実施例による信号を伝送するための方法を示す別の概略ブロック図である。
【図９】本発明の実施例による信号を伝送するためのネットワーク装置を示す概略ブロック図である。
【図１０】本発明の実施例による信号を伝送するための端末装置を示すブロック図である。
【図１１】本発明の実施例による信号を伝送するためのネットワーク装置を示す別の概略ブロック図である。
【図１２】本発明の実施例による信号を伝送するための端末装置を示す別のブロック図である。
【発明を実施するための形態】
【００３９】
以下は本発明の実施例の図面を組み合わせながら、本発明の実施例に係る技術的解決策を明確に、全面的に説明する。
【００４０】
理解すべきものとして、本発明の実施例の技術的解決策は様々な通信システム、例えばグローバルモバイル通信（Ｇｌｏｂａｌ  Ｓｙｓｔｅｍ  ｆｏｒ  Ｍｏｂｉｌｅ  Ｃｏｍｍｕｎｉｃａｔｉｏｎ：「ＧＳＭ」と略称）システム、符号分割多元アクセス（Ｃｏｄｅ  Ｄｉｖｉｓｉｏｎ  Ｍｕｌｔｉｐｌｅ  Ａｃｃｅｓｓ：「ＣＤＭＡ」）システム、帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ：「ＷＣＤＭＡ」と略称）システム、汎用パケット無線サービス（Ｇｅｎｅｒａｌ  Ｐａｃｋｅｔ  Ｒａｄｉｏ  Ｓｅｒｖｉｃｅ：「ＧＰＲＳ」と略称）、長期進化型（Ｌｏｎｇ  Ｔｅｒｍ  Ｅｖｏｌｕｔｉｏｎ：「ＬＴＥ」と略称）システム、ＬＴＥ周波数分割複信（Ｆｒｅｑｕｅｎｃｙ  Ｄｉｖｉｓｉｏｎ  Ｄｕｐｌｅｘ：「ＦＤＤ」と略称）システム、ＬＴＥ時分割複信（Ｔｉｍｅ  Ｄｉｖｉｓｉｏｎ  Ｄｕｐｌｅｘ：「ＴＤＤ」と略称）、汎用移動通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ：「ＵＭＴＳ」と略称）、グローバル相互接続マイクロ波アクセス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ：「ＷｉＭＡＸ」と略称）通信システム又は将来の５Ｇシステムなどに応用されてもよい。
【００４１】
特に、本発明の実施例の技術的解決策は非直交マルチアクセス技術に基づく様々な通信システム、例えばスパースコードマルチアクセス（Ｓｐａｒｓｅ  Ｃｏｄｅ  Ｍｕｌｔｉｐｌｅ  Ａｃｃｅｓｓ：「ＳＣＭＡ」と略称）システム、低密度署名（Ｌｏｗ  Ｄｅｎｓｉｔｙ  Ｓｉｇｎａｔｕｒｅ：「ＬＤＳ」と略称）システムなどに応用されてもよく、当然ＳＣＭＡシステムとＬＤＳシステムが通信分野において他の名称と呼ばれてもよく、さらに、本発明の実施例の技術的解決策は非直交マルチアクセス技術を用いたマルチ搬送波伝送システム、例えば非直交マルチアクセス技術を用いた直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：「ＯＦＤＭ」と略称）、フィルターバンクマルチ搬送波（Ｆｉｌｔｅｒ  Ｂａｎｋ  Ｍｕｌｔｉ−Ｃａｒｒｉｅｒ；「ＦＢＭＣ」と略称）、汎用周波数分割多重（Ｇｅｎｅｒａｌｉｚｅｄ  Ｆｒｅｑｕｅｎｃｙ  Ｄｉｖｉｓｉｏｎ  Ｍｕｌｔｉｐｌｅｘｉｎｇ：「ＧＦＤＭ」と略称）、フィルタ直交周波数分割多重（Ｆｉｌｔｅｒｅｄ−ＯＦＤＭ：「Ｆ−ＯＦＤＭ」と略称）システムなどに応用されてもよい。
【００４２】
本発明の実施例における端末装置はユーザ装置（ＵＥ：Ｕｓｅｒ  Ｅｑｕｉｐｍｅｎｔ）、アクセス端末、加入者ユニット、加入者局、移動局、移動ステーション、遠隔局、遠隔端末、移動装置、ユーザ端末、端末、無線通信装置、ユーザエージェント又はユーザ装置を指すことができる。アクセス端末はセルラー電話、コードレス電話、セッション開始プロトコル（ＳＩＰ：Ｓｅｓｓｉｏｎ  Ｉｎｉｔｉａｔｉｏｎ  Ｐｒｏｔｏｃｏｌ）電話、無線ローカルループ（ＷＬＬ：Ｗｉｒｅｌｅｓｓ  Ｌｏｃａｌ  Ｌｏｏｐ）サイト、パーソナルデジタル処理（ＰＤＡ：Ｐｅｒｓｏｎａ１  Ｄｉｇｉｔａ１  Ａｓｓｉｓｔａｎｔ）、無線通信機能を備えたハンドヘルドデバイス、コンピューティングデバイス又は無線モデムに接続された他の処理装置、車載デバイス、ウェアラブルデバイス、将来の５Ｇネットワークにおける端末装置又は将来の進化した公衆陸上モバイルネットワーク（ＰＬＭＮ：Ｐｕｂｌｉｃ  Ｌａｎｄ  Ｍｏｂｉｌｅ  Ｎｅｔｗｏｒｋ）における端末装置などであってもよく、本発明では限定されない。
【００４３】
本発明の実施例におけるネットワーク装置は端末装置と通信するための装置であってもよく、該ネットワーク装置はＧＳＭ又はＣＤＭＡにおける基地局（ＢＴＳ：Ｂａｓｅ  Ｔｒａｎｓｃｅｉｖｅｒ  Ｓｔａｔｉｏｎ）であってもよいし、ＷＣＤＭＡシステムにおける基地局（ＮＢ：ＮｏｄｅＢ）であってもよいし、またＬＴＥシステムにおける進化型基地局（ｅＮＢ又はｅＮｏｄｅＢ：Ｅｖｏｌｕｔｉｏｎａｌ  ＮｏｄｅＢ）であってもよいし、クラウド無線アクセスネットワーク（ＣＲＡＮ：Ｃｌｏｕｄ  Ｒａｄｉｏ  Ａｃｃｅｓｓ  Ｎｅｔｗｏｒｋ）シーンにおける無線コントローラであってもよく、又は該ネットワーク装置は中継局、アクセスポイント、車載デバイス、ウェアラブルデバイス及び将来の５Ｇネットワークにおけるネットワーク装置又は将来の進化したＰＬＭＮネットワークにおけるネットワーク装置などであってもよく、本発明の実施例では限定されない。
【００４４】
図１は本発明の実施例の一つの応用シーンを示す概略図である。図１における通信システムは端末装置１０とネットワーク装置２０を備えることができる。ネットワーク装置２０は端末装置１０に通信サービスを提供することに用いられ且つコアネットワークにアクセスし、端末装置１０はネットワーク装置２０から送信された同期信号、ブロードキャスト信号などを検索してネットワークにアクセスし、それによってネットワークとの通信を行う。図１に示す矢印は端末装置１０とネットワーク装置２０の間のセルラーリンクによるアップリンク／ダウンリンク送信を表すことができる。
【００４５】
ＬＴＥのＰＤＣＣＨは各サブフレームの先頭のいくつかのＯＦＤＭシンボルで送信され、そしてセル共通パイロット信号を用いて復調される。将来の進化バージョンでは、ＬＴＥに強化型物理ダウンリンク制御チャネル（Ｅ−ＰＤＣＣＨ：Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ）信号が導入される。ＰＤＣＣＨとは異なり、Ｅ−ＰＤＣＣＨは通常データを伝送するためのＰＲＢ全体で伝送され、そしてＤＭＲＳパイロット信号を用いて復調される。このようにして共通パイロット信号に依存せず、同時に他の送信方式の利点、例えばビームフォーミング、マルチアンテナ（ＭＩＭＯ：Ｍｕｌｔｉｐｌｅ  Ｉｎｐｕｔ  Ｍｕｌｔｉｐｌｅ  Ｏｕｔｐｕｔ）などを享受することができる。
【００４６】
５Ｇなどの将来の通信システムのシステム設計において、マルチアンテナアレイ、ビームフォーミングなどの設計が導入され、例えば元の一つのセルを複数のビームで覆い、ビームゲインが高周波数帯域の使用によって引き起こされるカバレッジの縮小をある程度補うことができ、同時に相互干渉を減らし、システム性能を高めることもできる。データチャネルはビームを用いてフォーミングして伝送される。制御チャネルに対して、いくつかの解決策があり得て、一つは制御チャネル伝送が依然としてセル全体を覆うことであり、もう一つは制御チャネルが一つ又はいくつかのビームだけで送信されることである。５Ｇはさらに広いシステム帯域幅（高周波帯域）をサポートすること、及び異なるアプリケーション例えば遅延要求が高い高信頼性且つ低遅延アプリケーション（ＵＲＬＬＣ：Ｕｌｔｒａ−Ｒｅｌｉａｂｌｅ  Ｌｏｗ  Ｌａｔｅｎｃｙ  Ｃｏｍｍｕｎｉｃａｔｉｏｎｓ）をサポートすることのようないくつかの特徴を有する。これらの特徴はその制御チャネル設計がＬＴＥシステムと異なるべきであることを要求する。
【００４７】
図２は本発明の実施例による信号を伝送するための方法１００を示す概略ブロック図である。図２に示すように、該方法１００はネットワーク装置によって実行されてもよく、具体的に基地局によって実行されてもよく、該方法１００はＳ１１０及びＳ１２０を含む。
【００４８】
Ｓ１１０において、第一の端末装置へ指示情報を送信し、前記指示情報がダウンリンク制御信号を受信するために前記第一の端末装置によって用いられるリソース領域を示すことに用いられる。
【００４９】
Ｓ１２０において、前記リソース領域で前記第一の端末装置へ前記ダウンリンク制御信号を送信する。
【００５０】
具体的には、ネットワーク装置はシステム帯域幅全体でいくつかのリソースを、ダウンリンク制御信号を伝送するためのリソース領域として選択することができ、システムメッセージなどにより端末装置へ指示情報を送信し、割り当てられたリソース領域でダウンリンク制御信号を取得することを端末装置に通知することができる。例えば、ネットワーク装置は端末装置ごとに一つのリソース領域を割り当てることができ、該リソース領域が対応する端末装置の専用ダウンリンク制御信号を伝送することに用いられ、ネットワーク装置は該複数の端末装置の共通制御信号を伝送するための一つのリソース領域を複数の端末装置に割り当てることもでき、ネットワーク装置は共通制御信号を伝送するために一つのリソース領域を個別に割り当てなくてもよく、各端末装置が検出できることを保証するために、端末装置ごとに割り当てられた、専用ダウンリンク制御信号を伝送するためのリソース領域で共通ダウンリンク制御信号を送信することができる。
【００５１】
理解すべきものとして、方法１００におけるリソース領域は第一の端末装置に割り当てられた、第一の端末装置のダウンリンク信号を伝送するためのものであってもよいし、複数の端末装置に割り当てられた、該複数の端末装置の専用ダウンリンク制御信号を伝送するためのリソース領域であってもよい。
【００５２】
選択可能に、ビームを用いてフォーミングして制御信号を伝送する場合、ネットワーク装置は異なるビームに異なるリソース領域を割り当てることができる。共通制御信号に対して、一つのリソース領域を個別に割り当て、広いビームを用いてフォーミングし又はいくつかの狭帯域ビームを用いて共同で伝送することができる。共通制御チャネルに一つの単独したリソース領域を割り当てなくてもよく、異なるリソース領域で共通制御チャネルを繰り返して伝送し、ネットワーク装置は異なる隣セルに異なるリソース領域を割り当てることができ、ネットワーク装置は異なる端末装置の特性に応じて異なるリソース領域を割り当て、例えばいくつかの連続しない物理ブロック（ＰＲＢ：ｐｈｙｓｉｃａｌ  ｒｅｓｏｕｒｃｅ  ｂｌｏｃｋ）をいくつかのセルのエッジにある端末又はいくつかの速く移動する端末装置に割り当てることができ、これはこのような端末の数が少なく、これらのリソースのサイズも小さくなる可能性があるためである。いくつかの連続したＰＲＢをいくつかのセルの中央にある端末又はいくつかの遅く移動し又は静止している端末装置に割り当てる。ネットワーク装置は異なるネットワークの負荷に基づいて異なるリソース領域を割り当て、例えばいくつかの負荷が大きい（スケジューリング遅延が大きく、制御リソース又はデータリソース使用率が高い）対応するリソース領域における端末を負荷が小さい（ケジューリング遅延が小さく、制御リソース又はデータリソース使用率が低い）対応するリソース領域に割り当てることができ、ネットワーク装置は異なる時間とネットワークの負荷に基づいて異なるリソース領域を割り当て、例えば昼と夜にユーザーが多い場合、より多いリソース領域を用いて割り当てるが、夜及び週末にユーザが少ない場合、少ないリソース領域を用いることができる。
【００５３】
以下に図３を組み合わせながら本発明の実施例における端末装置にリソース領域を割り当てる具体的な解決策を説明する。図３に示すように、各グループは少なくとも一つのビームに対応する制御チャネルの伝送に用いられてもよい。例えば、リソース領域１がビーム１に対応し、リソース領域２がビーム２に対応し、リソース領域３がビーム１とビーム２に対応する。さらに、ネットワーク装置はリソース領域１で、ビーム１を用いて端末装置１へ制御チャネルを送信することができ、端末装置１が該ビーム１に覆われた端末装置であると仮定する。ネットワーク装置はリソース領域２で、ビーム２を用いて端末装置２へ制御チャネルを送信することができ、端末装置２が該ビーム２に覆われた端末装置であると仮定する。ネットワーク装置はさらにリソース領域３で、ビーム１とビーム２を用いて端末装置３へ制御チャネルを送信することができ、該端末装置３がビーム１とビーム２の境界にある端末装置である。
【００５４】
理解すべきものとして、上記は図３のみを例として例示的に説明したが、該割り当てにつて隣セルなどの他の方式を用いることができ、簡潔にするために、一つずつ説明しない。
【００５５】
また、理解すべきものとして、本発明の実施例におけるリソース領域は周波数領域において連続してもよく、連続しなくてもよく、時間領域において連続してもよいし、連続しなくてもよい。ネットワーク装置から第一の端末装置に送信された指示情報は周波数領域リソースを示すことができ、時間領域リソースを示すこともできる。
【００５６】
周波数領域において、例えば、該指示情報は第一のビットテーブルを含み、前記第一のビットテーブルにおける各ビットがシステム帯域幅における各物理リソースブロックに対応し、前記第一のビットテーブルにおける第一の値であるビットは該ビットに対応する物理リソースブロックが前記リソース領域に属することを示す。該指示情報は開始周波数ポイント及び第二のビットテーブルを含み、前記第二のビットテーブルにおける複数のビットが前記開始周波数ポイントから連続する複数の物理リソースブロックに対応し、前記複数のビットが前記複数の物理リソースブロックと一対一で対応し、前記第二のビットテーブルにおける第一の値であるビットは該ビットに対応する物理リソースブロックが前記リソース領域に属することを示す。該指示情報はさらにシステム帯域幅における該リソース領域の開始位置を示すための開始周波数ポイント及びシステム帯域幅における終了位置を示すための終了周波数ポイントを含むことができる。該指示情報はさらにシステム帯域幅における該リソース領域の開始位置を示すための開始周波数ポイント及び該リソース領域の帯域幅長を含むことができる。図４に開始周波数ポイント及びビットコードテーブルを用いて第一の端末装置のリソース領域が示される。図において、一つのビットが一つの物理リソースブロック（ＰＲＢ）に対応し、値「１」を取って該物理リソースブロックが該第一の端末装置のリソース領域に属することを示し、値「０」を取って該物理リソースブロックが該第一の端末装置のリソース領域に属しないことを示す。該ビットコードテーブルが値「０」を取って該物理リソースブロックが該第一の端末装置のリソース領域に属することを示し、値「１」を取って該物理リソースブロックが該第一の端末装置のリソース領域に属しないことを示すように構成されてもよい。図４から分かるように、該ビットコードテーブルが１２ビットであり、該第一の端末装置のリソース領域が３つのＰＲＢを含む。
【００５７】
さらに、リソース領域の周波数領域パラメータを示すための上記指示情報は上位層シグナリング、例えば無線リソース制御（ＲＲＣ：Ｒａｄｉｏ  Ｒｅｓｏｕｒｃｅ  Ｃｏｎｔｒｏｌ）メッセージにより端末装置に通知されてもよく、システムメッセージ例えばブロードキャストチャネルにより指示情報を端末装置にブロードキャストすることもでき、端末装置はいくつかの特定の関連に基づいて対応するリソース領域を選択することができ、例えば、あるリソース領域がある周波数帯域と関連し、端末装置は該周波数帯域へのアクセスが成功した場合、該リソース領域を用いてそれ自体のダウンリンク制御信号を受信することができる。また、例えばあるリソース領域がマルチビームセル内のあるビームと関連し、端末装置は、このビームへのアクセスが成功した場合、該リソース領域を用いてそれ自体のダウンリンク制御信号を受信することができる。
【００５８】
時間領域において、該リソース領域は第一のスロット又は第一のミニスロットにおける第一の直交周波数分割多重（ＯＦＤＭ）シンボルから始まる少なくとも１つの連続したＯＦＤＭシンボルを含み、該指示情報は前記リソース領域における前記第一のスロット又は前記第一のミニスロットに属するＯＦＤＭシンボルの数を含む。例えば、どのＯＦＤＭシンボルが制御信号を送信することに用いられるかを端末装置に半静的に通知することができ、該指示情報はリソース領域の構成及び先頭のＯＦＤＭシンボルの数を示すことができる。具体的には、一つの動的な共通制御信号を用いて通知することができ、この共通制御信号が各スロット（ｓｌｏｔ）又はミニスロット（ｍｉｎｉ−ｓｌｏｔ）の１番目のＯＦＤＭシンボルで送信されてもよい。対応するリソース領域における制御信号を伝送するための先頭のいくつかのＯＦＤＭシンボルの数を端末装置に通知する。例えば最大で先頭の３つのＯＦＤＭシンボルを用いて制御信号を伝送する場合、この動的信号は２ビットで伝送されてもよい。００が０つのＯＦＤＭシンボルを表し、０１が１つのＯＦＤＭシンボルを表し、１０が２つのＯＦＤＭシンボルを表し、１１が３つのＯＦＤＭシンボルを表す。
【００５９】
この構成は半静的信号で通知されてもよく、その後動的信号で変更されてもよい。例えば半静的信号が２つのＯＦＤＭシンボルを用いて制御信号を伝送することをサポートし、端末が動的信号が３つのＯＦＤＭシンボルを示すことを検出した場合、現在のサブフレームにおいて３つのＯＦＤＭシンボルが制御信号を伝送することに用いられ、端末がこの動的信号を検出しない場合、２つのＯＦＤＭシンボルが制御信号を伝送すると仮定する。共通信号を用いて時間領域における制御チャネル領域を示されなくてもよいが、端末により各スロット（ｓｌｏｔ）又はミニスロット（ｍｉｎｉ−ｓｌｏｔ）の先頭のＯＦＤＭシンボルをブランド検出する。２レベル伝送を含む制御信号に対して、レベル１の制御信号からレベル２の制御信号の位置するＯＦＤＭシンボルを検出することができる。
【００６０】
さらに、リソース領域の時間領域パラメータを示すための上記指示情報は上位層シグナリング、例えば無線リソース制御（ＲＲＣ：Ｒａｄｉｏ  Ｒｅｓｏｕｒｃｅ  Ｃｏｎｔｒｏｌ）により端末装置に通知されてもよく、システムメッセージ例えばブロードキャストチャネルにより指示情報を端末装置にブロードキャストすることもでき、また、物理層シグナリング例えば少なくとも一つのスロット又は少なくとも一つのミニスロットから送信された共通シグナリング又は前記第一の端末装置の専用シグナリングにより指示情報を端末装置に送信することができる。
【００６１】
一つのマルチビームシステムの場合、各ビーム内のリソース領域（周波数領域ＰＲＢと時間領域ＯＦＤＭシンボル数）は個別に構成されてもよい。同じリソース領域は異なるビームで繰り返し又は一部で繰り返して用いられてもよい。共通信号を用いて制御信号を伝送するためのＯＦＤＭの数を示す場合、各ビームがそれぞれのデータを伝送するためのビームを用いてフォーミングしてそれぞれの共通信号を伝送し、それぞれのビームにおける制御信号に用いられるべきＯＦＤＭシンボルの数を示すことができる。異なるビーム内の共通信号に示される、制御信号を伝送するためのＯＦＤＭの数は異なっても良い。各ビーム内のリソース領域は半静的に構成されてもよく、ネットワーク装置はブロードキャストチャネル又は上位層シグナリングにより各ビームに対応するリソース領域を端末装置に通知することができる。
【００６２】
遅延要求が高いいくつかのアプリケーション、例えば低遅延且つ高信頼性接続（ＵＲＬＬＣ：Ｕｌｔｒａ−Ｒｅｌｉａｂｌｅ  ａｎｄ  Ｌｏｗ  Ｌａｔｅｎｃｙ  Ｃｏｍｍｕｎｉｃａｔｉｏｎｓ）などに対して、スロット（ｓｌｏｔ）又はミニスロット（ｍｉｎｉ−ｓｌｏｔ）における１番目のＯＦＤＭシンボルのみを用いて制御信号を伝送することを限定することができる。この場合、共通信号を用いて制御信号のためのＯＦＤＭシンボル数を示す必要がない。当然、このアプリケーションと他のアプリケーションが動的に繰り返して用いられる場合、端末は現在のスロット（ｓｌｏｔ）又はミニスロット（ｍｉｎｉ−ｓｌｏｔ）がどのアプリケーションに用いられるかを予期することができない。端末は依然として共通チャネルにより制御信号に用いられるべきＯＦＤＭシンボルの数を取得する可能性がある。
【００６３】
選択可能に、本発明の実施例では、該方法はさらにダウンリンク制御信号を含むための少なくとも一つの制御チャネルのうちの各制御チャネルを少なくとも一つの制御チャネルユニットに分解し、該リソース領域にマッピングして送信し、該複数の制御チャネルが複数の端末装置と一対一で対応し、該複数の端末装置が該第一の端末装置を含むことを含む。
【００６４】
当業者は、制御チャネルを複数の制御チャネルユニットに分解してリソース領域にマッピングすることが制御信号をいくつかのブロックに分割してリソース領域の異なるリソースにマッピングして伝送することを指すことを理解する。
【００６５】
さらに、該少なくとも一つの制御チャネルのうちの異なる制御チャネルユニットは該リソース領域の異なる物理リソースブロック及び／又は異なるＯＦＤＭシンボルにマッピングされ、及び／又は該少なくとも一つの制御チャネルのうちの第一の制御チャネルの少なくとも一つの制御チャネルユニットは該リソース領域の同一の物理リソースブロック内の全てのＯＦＤＭシンボルにマッピングされ、及び／又は該少なくとも一つの制御チャネルのうちの異なる制御チャネルユニットは該リソース領域の同一のＯＦＤＭシンボル内の少なくとも一部の物理リソースブロックにマッピングされる。
【００６６】
以下に図５〜図７を組み合わせ、いくつかの端末装置の制御チャネルが一つのリソース領域を多重化するという解決策を詳細に説明する。
【００６７】
図５に示すように、該リソース領域は４つのＰＲＢを含み、そしてその中の２つのＰＲＢが連続し、他の２つのＰＲＢと連続せず、端末１の制御チャネルが４つの制御チャネルユニットに分解され、そしてそれぞれ４つのＰＲＢにおける異なるＯＦＤＭシンボルにマッピングされ、端末２の制御チャネルが２つの制御チャネルユニットに分解され、そして２つのＰＲＢにおける異なるＯＦＤＭシンボルにマッピングされ、端末３の制御チャネルは３つの制御チャネルユニットに分解され、そして３つのＰＲＢにおける異なるＯＦＤＭシンボルにマッピングされる。
【００６８】
複数の端末装置の制御チャネルを複数の制御チャネルユニットに分解し、これらのユニットが一つのリソース領域にインタリーブしてマッピングされ、より大きい周波数領域及び時間領域ダイバーシチゲインを取得する。
【００６９】
図６に示すように、該リソース領域は４つのＰＲＢを含み、そしてその中の２つのＰＲＢが連続し、他の２つのＰＲＢと連続せず、端末１の制御チャネルが６つの制御チャネルユニットに分解され、そしてそれぞれ１番目のＰＲＢにおける３つのＯＦＤＭシンボルと３番目のＰＲＢにおける３つのＯＦＤＭシンボルにマッピングされ、端末２の制御チャネルが３つの制御チャネルユニットに分解され、そして２番目のＰＲＢにおける３つのＯＦＤＭシンボルにマッピングされ、端末３の制御チャネルユニットが３つの制御チャネルユニットに分解され、そして４番目のＰＲＢにおける３つのＯＦＤＭシンボルにマッピングされる。
【００７０】
複数の端末装置の制御チャネルを複数の制御チャネルユニットに分解し、これらの制御チャネルユニットが一つ又は複数のＰＲＢから伝送されてもよく、各ＰＲＢ（ＰＲＢ又はＰＲＢサブセット）で一つの端末の制御信号だけが伝送される。この多重化解決策は周波数領域ダイバーシティゲインをより良く用い、同時に端末検出の複雑さを軽減することができる。
【００７１】
図７に示すように、該リソース領域は４つのＰＲＢを含み、そしてその中の２つのＰＲＢが連続し、他の４つのＰＲＢと連続せず、端末１の制御チャネルが４つの制御チャネルユニットに分解され、そしてそれぞれ該リソース領域の全てのＰＲＢにおける１番目のＯＦＤＭシンボルにマッピングされ、端末２の制御チャネルが４つの制御チャネルユニットに分解され、そして該リソース領域の全てのＰＲＢの２番目のＯＦＤＭシンボルにマッピングされ、端末３の制御チャネルは４つの制御チャネルユニットに分解され、そしてそれぞれ該リソース領域の全てのＰＲＢにおける３番目のＯＦＤＭシンボルにマッピングされる。
【００７２】
複数の端末の制御チャネルは異なるＯＦＤＭシンボルで伝送される。例えば、遅延要求が高いサービスに対して、対応する制御信号は１番目のＯＦＤＭシンボルで伝送されてもよく、遅延要求が低いサービスに対して、対応する制御信号は２番目又は３番目のＯＦＤＭシンボルで伝送されてもよい。複数の端末が遅延要求の高いサービスを受ける必要がある場合、それらの制御信号は全て１番目のＯＦＤＭシンボルから伝送されてもよい。この解決策は、さらにネットワーク装置がビームスキャンのために異なる制御信号に異なるアナログビームフォーミングを印加し、例えば１番目のＯＦＤＭシンボルにあるアナログビームフォーミングを印加し、制御信号を１番目のＯＦＤＭシンボルで伝送する端末ユーザに指させ、１番目のＯＦＤＭシンボルで伝送された制御信号のビームフォーミングゲインを増加することを容易にすることができる。２番目のＯＦＤＭシンボルに対して１番目のＯＦＤＭシンボルと異なるアナログビームフォーミングを印加し、制御信号を２番目のＯＦＤＭシンボルで伝送する端末ユーザに指させ、２番目のＯＦＤＭシンボルで伝送された制御信号のビームフォーミングゲインを増加することができる。
【００７３】
理解すべきものとして、上記の一つの制御チャネルユニットのサイズは、時間領域において一つのＯＦＤＭシンボルであり、周波数領域で一つのＰＲＢであることを例として説明されるが、時間領域において２つのＯＦＤＭシンボルであり、周波数領域において一つのＰＲＢであってもよく、周波数領域のサイズと時間領域のサイズがそれぞれ一つのＰＲＢと一つのＯＦＤＭシンボルの倍数であればいい。
【００７４】
複数の端末に必要なビームフォーミング方向が近い場合、それらをグループ化し、同一又は複数のＯＦＤＭシンボルを用いてそれらの制御信号を伝送し、そして類似のアナログビームフォーミングを印加することができる。例えば、端末１と端末２が同一のビームのカバレッジにある場合、それらの制御信号は１番目のＯＦＤＭシンボルで伝送さ、そして同一のアナログビームでフォーミングされて伝送されることができる。同様に、端末３と端末４が同一のビームのカバレッジにある場合、それらの制御信号は２番目のＯＦＤＭシンボルで伝送さ、そして別のアナログビームでフォーミングされて伝送されることができる。
【００７５】
図８は本発明の実施例による信号を伝送するための方法２００を示す概略ブロック図である。図８に示すように、該方法２００は端末装置によって実行されてもよく、具体的にユーザ装置によって実行されてもよく、該方法２００はＳ２１０とＳ２２０を含む。
【００７６】
Ｓ２１０において、ネットワーク装置から送信された指示情報を受信し、該指示情報がダウンリンク制御信号を受信するために第一の端末装置によって用いられるリソース領域を示すことに用いられる。
【００７７】
Ｓ２２０において、該指示情報に基づき、該リソース領域で該ネットワーク装置から送信された該ダウンリンク制御信号を受信する。
【００７８】
したがって、本発明の実施例による信号を伝送するための方法では、端末装置が固定されたリソース領域で制御信号を検出することにより、システム性能を向上させることができ、そして端末装置のエネルギー消費量を削減することができる。
【００７９】
理解すべきものとして、本発明の実施例におけるリソース領域は周波数領域において連続してもよく、連続しなくてもよく、時間領域において連続してもよいし、連続しなくてもよい。ネットワーク装置から第一の端末装置に送信された指示情報は周波数領域リソースを示すことができ、時間領域リソースを示すこともできる。
【００８０】
周波数領域において、例えば、該指示情報は第一のビットテーブルを含み、前記第一のビットテーブルにおける各ビットがシステム帯域幅における各物理リソースブロックに対応し、前記第一のビットテーブルにおける第一の値であるビットは該ビットに対応する物理リソースブロックが前記リソース領域に属することを示す。該指示情報は開始周波数ポイント及び第二のビットテーブルを含み、前記第二のビットテーブルにおける複数のビットが前記開始周波数ポイントから連続する複数の物理リソースブロックに対応し、前記複数のビットが前記複数の物理リソースブロックと一対一で対応し、前記第二のビットテーブルにおける第一の値であるビットは該ビットに物理リソースブロックが前記リソース領域に属することを示すためのである。該指示情報はさらにシステム帯域幅における該リソース領域の開始位置を示すための開始周波数ポイント及びシステム帯域幅における終了位置を示すための終了周波数ポイントを含むことができる。該指示情報はさらにシステム帯域幅における該リソース領域の開始位置を示すための開始周波数ポイント及び該リソース領域の帯域幅長を含むことができる。
【００８１】
さらに、リソース領域の周波数領域パラメータを示すための上記指示情報は上位層シグナリング、例えば無線リソース制御（ＲＲＣ：Ｒａｄｉｏ  Ｒｅｓｏｕｒｃｅ  Ｃｏｎｔｒｏｌ）メッセージにより端末装置に通知されてもよく、システムメッセージ例えばブロードキャストチャネルにより指示情報を端末装置にブロードキャストすることもでき、端末装置はいくつかの特定の関連に基づいて対応するリソース領域を選択することができ、例えば、あるリソース領域がある周波数帯域と関連し、端末装置は該周波数帯域へのアクセスが成功した場合、該リソース領域を用いてそれ自体のダウンリンク制御信号を受信することができる。また、例えばあるリソース領域がマルチビームセル内のあるビームと関連し、端末装置は、このビームへのアクセスが成功した場合、該リソース領域を用いてそれ自体のダウンリンク制御信号を受信することができる。
【００８２】
時間領域において、該リソース領域は第一のスロット又は第一のミニスロットにおける第一の直交周波数分割多重（ＯＦＤＭ）シンボルから始まる少なくとも１つの連続したＯＦＤＭシンボルを含み、該指示情報は前記リソース領域における前記第一のスロット又は前記第一のミニスロットに属するＯＦＤＭシンボルの数を含む。例えば、どのＯＦＤＭシンボルが制御信号を送信することに用いられるかを端末装置に半静的に通知することができ、該指示情報はリソース領域の構成及び先頭のＯＦＤＭシンボルの数を示すことができる。
【００８３】
さらに、リソース領域の時間領域パラメータを示すための上記指示情報は上位層シグナリング、例えば無線リソース制御（ＲＲＣ：Ｒａｄｉｏ  Ｒｅｓｏｕｒｃｅ  Ｃｏｎｔｒｏｌ）により端末装置に通知されてもよく、システムメッセージ例えばブロードキャストチャネルにより指示情報を端末装置にブロードキャストすることもでき、物理層シグナリング例えば少なくとも一つのスロット又は少なくとも一つのミニスロットから送信された共通シグナリング又は前記第一の端末装置の専用シグナリングにより指示情報を端末装置に送信することもできる。
【００８４】
選択可能に、本発明の実施例では、該指示情報に基づき、該リソース領域で該ネットワーク装置から送信された該ダウンリンク制御信号を受信することは、該指示情報に基づき、該リソース領域で該ネットワーク装置から送信された、該第一の端末装置のダウンリンク制御チャネルに対応する少なくとも一つの制御チャネルユニットを受信することと、該少なくとも一つの制御チャネルユニットに基づいて組み合わせて該ダウンリンク制御信号を生成することとを含む。
【００８５】
当業者は、制御チャネルを複数の制御チャネルユニットに分解してリソース領域にマッピングすることが制御信号をいくつかのブロックに分割してリソース領域の異なるリソースにマッピングして伝送することを指すことを理解する。それに対応して、端末装置は該リソース領域における異なるリソースで、分割されたいくつかのブロックを取得し、そしてそれらを組み合わせ、ダウンリンク制御信号を構成する。
【００８６】
選択可能に、本発明の実施例では、該リソース領域で該ネットワーク装置から送信された該ダウンリンク制御信号を受信することは、該リソース領域に対応するビームを使用して、該リソース領域で該ネットワーク装置から送信された該ダウンリンク制御信号を受信することを含む。
【００８７】
理解すべきものとして、端末装置側から説明される端末装置とネットワーク側装置とのインタラクション及び関連特性、機能などがネットワーク側の関連特性、機能に対応し、簡潔にするために、説明を省略する。
【００８８】
また、本開示の様々な実施例では、上記各プロセスの番号の大きさが実行順序を意味せず、各プロセスの実行順序はその機能と内部論理で確定されるべきであり、本発明の実施例の実施プロセスのいかなる限定を構成すべきではないと理解すべきである。
【００８９】
以上に本発明の実施例による信号を伝送するための方法を詳細に説明し、以下に図９〜図１２を組み合わせ、本発明の実施例による信号を伝送するための装置を説明し、方法の実施例で説明される技術的特徴が以下の装置の実施例に適用する。
【００９０】
図９は本発明の実施例による信号を伝送するためのネットワーク装置３００を示す概略ブロック図である。図９に示すように、該ネットワーク装置３００は、
第一の端末装置へ指示情報を送信するように構成される第一の送信ユニット３１０であって、該指示情報がダウンリンク制御信号を受信するために該第一の端末装置によって用いられるリソース領域を示すことに用いられる第一の送信ユニット３１０と、
該リソース領域で該第一の端末装置へ該ダウンリンク制御信号を送信するように構成される第二の送信ユニット３２０とを備える。
【００９１】
したがって、本発明の実施例による信号を伝送するためのネットワーク装置では、端末装置が固定されたリソース領域で制御信号を検出することにより、システム性能を向上させることができ、そして端末装置のエネルギー消費量を削減することができる。
【００９２】
選択可能に、本発明の実施例では、該リソース領域は少なくとも一つの物理リソースブロックを含み、リソース領域が複数の物理リソースブロックを含む時に、該複数の物理リソースブロックのいずれかの２つの物理リソースブロックが周波数領域において連続的又は離散的である。
【００９３】
選択可能に、本発明の実施例では、該指示情報は第一のビットテーブルを含み、前記第一のビットテーブルにおける各ビットがシステム帯域幅における各物理リソースブロックに対応し、前記第一のビットテーブルにおける第一の値であるビットは該ビットに対応する物理リソースブロックが前記リソース領域に属することを示す。
【００９４】
選択可能に、本発明の実施例では、該指示情報は開始周波数ポイント及び第二のビットテーブルを含み、前記第二のビットテーブルにおける複数のビットが前記開始周波数ポイントから連続する複数の物理リソースブロックに対応し、前記複数のビットが前記複数の物理リソースブロックと一対一で対応し、前記第二のビットテーブルにおける第一の値であるビットは該ビットに対応する物理リソースブロックが前記リソース領域に属することを示す。
【００９５】
選択可能に、本発明実施例では、該指示情報はシステム帯域幅における該リソース領域の開始位置を示すための開始周波数ポイント及びシステム帯域幅における終了位置を示すための終了周波数ポイントを含む。
【００９６】
選択可能に、本発明の実施例では、該指示情報はシステム帯域幅における該リソース領域の開始位置を示すための開始周波数ポイント及び該リソース領域の帯域幅長を含む。
【００９７】
選択可能に、本発明の実施例では、該リソース領域は第一のスロット又は第一のミニスロットにおける第一の直交周波数分割多重（ＯＦＤＭ）シンボルから始まる少なくとも１つの連続したＯＦＤＭシンボルを含み、該指示情報は前記リソース領域における前記第一のスロット又は前記第一のミニスロットに属するＯＦＤＭシンボルの数を含む。
【００９８】
選択可能に、本発明の実施例では、指示情報がリソース領域の周波数領域パラメータを示す場合、該第一の送信ユニット３１０は具体的にシステムメッセージ又は上位層シグナリングにより該第一の端末装置へ該指示情報を送信するように構成され、指示情報がリソース領域の時間領域パラメータを示す場合、該第一の送信ユニット３１０は具体的にシステムメッセージ、上位層シグナリング又は物理層シグナリングにより該第一の端末装置へ該指示情報を送信するように構成される。
【００９９】
選択可能に、本発明の実施例では、該上位層シグナリングは無線リソース制御（ＲＲＣ）メッセージを含み、該システムメッセージはシステム情報ブロック（ＳＩＢ）メッセージ及び物理ブロードキャストチャネル（ＰＢＣＨ）メッセージを含み、該物理層シグナリングは少なくとも一つのスロット又は少なくとも一つのミニスロットから送信された共通シグナリング又は該第一の端末装置の専用シグナリングを含む。
【０１００】
選択可能に、本発明の実施例では、該第二の送信ユニット３２０は具体的に該リソース領域に対応するビームを使用して、該リソース領域で該第一の端末装置へ該ダウンリンク制御信号を送信するように構成される。
【０１０１】
選択可能に、本発明の実施例では、該ネットワーク装置３００はさらに、
ダウンリンク制御信号を含むための少なくとも一つの制御チャネルのうちの各制御チャネルを少なくとも一つの制御チャネルユニットに分解し、該リソース領域にマッピングして送信するように構成される分解ユニット３３０であって、該複数の制御チャネルが複数の端末装置と一対一で対応し、該複数の端末装置が該第一の端末装置を含む分解ユニット３３０を備える。
【０１０２】
選択可能に、本発明の実施例では、前記少なくとも一つの制御チャネルのうちの異なる制御チャネルユニットは前記リソース領域の異なる物理リソースブロック及び／又は異なるＯＦＤＭシンボルにマッピングされ、及び／又は前記少なくとも一つの制御チャネルのうちの第一の制御チャネルの少なくとも一つの制御チャネルユニットは前記リソース領域の同一の物理リソースブロック内の全てのＯＦＤＭシンボルにマッピングされ、及び／又は前記少なくとも一つの制御チャネルのうちの異なる制御チャネルユニットは前記リソース領域の同一のＯＦＤＭシンボル内の少なくとも一部の物理リソースブロックにマッピングされる。
【０１０３】
選択可能に、本発明の実施例では、該ネットワーク装置３００はさらに、
該第一の端末装置によって用いられたビームに基づき、該ビームに対応する該リソース領域を確定すること、又は該第一の端末装置の隣セルに基づき、該隣セルに対応する該リソース領域を確定するように構成され、又はセルでの該第一の端末装置の位置及び該第一の端末装置の移動特性に基づき、該リソース領域を確定するように構成され、又はネットワーク装置の負荷に基づき、該リソース領域を確定するように構成される確定ユニット３４０を備える。
【０１０４】
理解すべきものとして、本発明の実施例による信号を伝送するためのネットワーク装置３００は本発明の実施例におけるネットワーク装置に対応してもよく、且つネットワーク装置３００の各ユニットの上記と他の操作及び／又は機能はそれぞれ図２〜図７における方法の対応するプロセスを実現するためのものであり、簡潔するために、ここでは説明を省略する。
【０１０５】
図１０は本発明の実施例による信号を伝送するための端末装置４００を示す概略ブロック図である。図１０に示すように、該端末装置４００は、
ネットワーク装置から送信された指示情報を受信するように構成される第一の受信ユニット４１０であって、該指示情報がダウンリンク制御信号を受信するために第一の端末装置によって用いられるリソース領域を示すことに用いられる第一の受信ユニット４１０と、
該指示情報に基づき、該リソース領域で該ネットワーク装置から送信された該ダウンリンク制御信号を受信するように構成される第二の受信ユニット４２０とを備える。
【０１０６】
したがって、本発明の実施例による信号を伝送するための端末装置では、端末装置が固定されたリソース領域で制御信号を検出することにより、システム性能を向上させることができ、そして端末装置のエネルギー消費量を削減することができる。
【０１０７】
選択可能に、本発明の実施例では、該リソース領域は少なくとも一つの物理リソースブロックを含み、リソース領域が複数の物理リソースブロックを含む時に、該複数の物理リソースブロックのいずれかの２つの物理リソースブロックが周波数領域において連続的又は離散的である。
【０１０８】
選択可能に、本発明の実施例では、該指示情報は第一のビットテーブルを含み、前記第一のビットテーブルにおける各ビットがシステム帯域幅における各物理リソースブロックに対応し、前記第一のビットテーブルにおける第一の値であるビットは該ビットに対応する物理リソースブロックが前記リソース領域に属することを示す。
【０１０９】
選択可能に、本発明の実施例では、該指示情報は開始周波数ポイント及び第二のビットテーブルを含み、前記第二のビットテーブルにおける複数のビットが前記開始周波数ポイントから連続する複数の物理リソースブロックに対応し、前記複数のビットが前記複数の物理リソースブロックと一対一で対応し、前記第二のビットテーブルにおける第一の値であるビットは該ビットに対応する物理リソースブロックが前記リソース領域に属することを示す。
【０１１０】
選択可能に、本発明実施例では、該指示情報はシステム帯域幅における該リソース領域の開始位置を示すための開始周波数ポイント及びシステム帯域幅における終了位置を示すための終了周波数ポイントを含む。
【０１１１】
選択可能に、本発明の実施例では、該指示情報はシステム帯域幅における該リソース領域の開始位置を示すための開始周波数ポイント及び該リソース領域の帯域幅長を含む。
【０１１２】
選択可能に、本発明の実施例では、該リソース領域は第一のスロット又は第一のミニスロットにおける第一の直交周波数分割多重（ＯＦＤＭ）シンボルから始まる少なくとも１つの連続したＯＦＤＭシンボルを含み、該指示情報は前記リソース領域における前記第一のスロット又は前記第一のミニスロットに属するＯＦＤＭシンボルの数を含む。
【０１１３】
選択可能に、本発明の実施例では、指示情報がリソース領域の周波数領域パラメータを示す場合、該第一の受信ユニット４１０は具体的にシステムメッセージ又は上位層シグナリングにより該第一の端末装置から送信された該指示情報を送信するように構成され、指示情報がリソース領域の時間領域パラメータを示す場合、該第一の送信ユニット３１０は具体的にシステムメッセージ、上位層シグナリング又は物理層シグナリングにより該ネットワーク装置から送信された該指示情報を受信するように構成される。
【０１１４】
選択可能に、本発明の実施例では、該上位層シグナリングは無線リソース制御（ＲＲＣ）メッセージを含み、該システムメッセージはシステム情報ブロック（ＳＩＢ）メッセージ及び物理ブロードキャストチャネルＰＢＣＨメッセージを含み、該物理層シグナリングは少なくとも一つのスロット又は少なくとも一つのミニスロットから送信された共通シグナリング又は該第一の端末装置の専用シグナリングを含む。
【０１１５】
選択可能に、本発明の実施例では、該第二の受信ユニット４２０は具体的に該指示情報に基づき、該リソース領域で該ネットワーク装置から送信された、該第一の端末装置のダウンリンク制御チャネルに対応する少なくとも一つの制御チャネルユニットを受信し、該少なくとも一つの制御チャネルユニットに基づいて組み合わせて該ダウンリンク制御信号を生成するように構成される。
【０１１６】
選択可能に、本発明の実施例では、該第二の受信ユニット４２０は具体的に該リソース領域に対応するビームを使用して、該リソース領域で該ネットワーク装置から送信された該ダウンリンク制御信号を受信するように構成される。
【０１１７】
理解すべきものとして、本発明の実施例による信号を伝送するための端末装置４００は本発明の実施例における端末装置に対応してもよく、且つ端末装置４００の各ユニットの上記と他の操作及び／又は機能はそれぞれ図８における方法の対応するプロセスを実現するためのものであり、簡潔するために、ここでは説明を省略する。
【０１１８】
図１１に示すように、本発明の実施例はさらに信号を伝送するためのネットワーク装置５００を提供し、該ネットワーク装置５００はプロセッサ５１０、メモリ５２０、バスシステム５３０及び送受信機５４０を備え、ここで、該プロセッサ５１０、該メモリ５２０及び該送受信機５４０が該バスシステム５３０を介して接続し、該メモリ５２０が命令を記憶するように構成され、該プロセッサ５１０が該メモリ５２０に記憶された命令を実行し、信号を送信するように該送受信機５４０を制御するように構成され、ここで、該プロセッサ５１０は第一の端末装置へ指示情報を送信し、前記指示情報がダウンリンク制御信号を受信するために前記第一の端末装置によって用いられるリソース領域を示すことに用いられ、前記リソース領域で前記第一の端末装置へ前記ダウンリンク制御信号を送信するように構成される。
【０１１９】
したがって、本発明の実施例による信号を伝送するためのネットワーク装置では、端末装置が固定されたリソース領域で制御信号を検出することにより、システム性能を向上させることができ、そして端末装置のエネルギー消費量を削減することができる。
【０１２０】
理解すべきものとして、本発明の実施例では、該プロセッサ５１０は中央処理ユニット（Ｃｅｎｔｒａｌ  Ｐｒｏｃｅｓｓｉｎｇ  Ｕｎｉｔ：「ＣＰＵ」と略称）であってもよく、該プロセッサ５１０はさらに他の汎用プロセッサ、デジタル信号プロセッサ（ＤＳＰ）、専用集積回路（ＡＳＩＣ）、フィールドプログラマブルゲートアレイ（ＦＰＧＡ）又は他のプログラマブルロジックデバイス、ディスクリートゲート又はトランジスタロジックデバイス、ディスクリートハードウェアコンポーネントなどであってもよい。汎用プロセッサはマイクロプロセッサであってもよく、又は該プロセッサはいずれかの従来のプロセッサなどであってもよい。
【０１２１】
該メモリ５２０は読み取り専用メモリとランダムアクセスメモリを含み、そしてプロセッサ５１０へ命令とデータを提供することができる。メモリ５２０の一部は不揮発性ランダムアクセスメモリを含むことができる。例えば、メモリ５２０は装置タイプの情報を記憶することもできる。
【０１２２】
該バスシステム５３０はデータバス以外、電源バス、制御バス及び状態信号バスなどを含むことができる。しかしながら、説明を明確にするために、図では様々なバスシステムがバスシステム５３０として標識される。
【０１２３】
実施プロセスでは、上記方法の各ステップは、プロセッサ５１０内のハードウェアの集積論理回路又はソフトウェアの形の命令によって完了されてもよい。本発明の実施例と組み合わせて開示された方法のステップはハードウェアプロセッサによって実行されて完了され、又はプロセッサにおけるハードウェア及びソフトウェアモジュールの組み合わせによって実行されて完了されるように直接具現化されてもよい。ソフトウェアモジュールはランダムアクセスメモリ、フラッシュメモリ、読み取り専用メモリ、プログラマブル読み取り専用メモリ又は電気的消去可能プログラマブルメモリ、レジスタなどの本分野における成熟した記憶媒体に位置してもよい。該記憶媒体はメモリ５２０に位置し、プロセッサ５１０はメモリ５２０における情報を読み取り、そのハードウェアと組み合わせて上記方法のステップを完了する。繰り返しを回避するために、ここで詳細な説明を省略する。
【０１２４】
理解すべきものとして、本発明の実施例による信号を伝送するためのネットワーク装置５００は本発明の実施例におけるネットワーク装置及びネットワーク装置３００に対応してもよく、そして本発明の実施例による方法を実行するためのネットワーク装置に対応してもよく、そしてネットワーク装置５００の各ユニットの上記と他の操作及び／又は機能はそれぞれ図２〜図７における方法の対応するプロセスを実現するためのものであり、簡潔するために、ここでは説明を省略する。
【０１２５】
図１２に示すように、本発明の実施例はさらに信号を伝送するための端末装置６００を提供し、該端末装置６００はプロセッサ６１０、メモリ６２０、バスシステム６３０及び送受信機６４０を備え、ここで、該プロセッサ６１０、該メモリ６２０及び該送受信機６４０が該バスシステム６３０を介して接続し、該メモリ６２０が命令を記憶するように構成され、該プロセッサ６１０が該メモリ６２０に記憶された命令を実行し、信号を送信するように該送受信機６４０を制御するように構成され、ここで、該プロセッサ６１０はネットワーク装置から送信された指示情報を受信し、前記指示情報がダウンリンク制御信号を受信するために前記第一の端末装置によって用いられるリソース領域を示すことに用いられ、前記指示情報に基づき、前記リソース領域で前記ネットワーク装置から送信された前記ダウンリンク制御信号を受信するように構成される。
【０１２６】
したがって、本発明の実施例による信号を伝送するための端末装置では、端末装置が固定されたリソース領域で制御信号を検出することにより、システム性能を向上させることができ、そして端末装置のエネルギー消費量を削減することができる。
【０１２７】
理解すべきものとして、本発明の実施例では、該プロセッサ６１０は中央処理ユニット（Ｃｅｎｔｒａｌ  Ｐｒｏｃｅｓｓｉｎｇ  Ｕｎｉｔ：「ＣＰＵ」と略称）であってもよく、該プロセッサ６１０はさらに他の汎用プロセッサ、デジタル信号プロセッサ（ＤＳＰ）、専用集積回路（ＡＳＩＣ）、フィールドプログラマブルゲートアレイ（ＦＰＧＡ）又は他のプログラマブルロジックデバイス、ディスクリートゲート又はトランジスタロジックデバイス、ディスクリートハードウェアコンポーネントなどであってもよい。汎用プロセッサはマイクロプロセッサであってもよく、又は該プロセッサはいずれかの従来のプロセッサなどであってもよい。
【０１２８】
該メモリ６２０は読み取り専用メモリとランダムアクセスメモリを含み、そしてプロセッサ６１０へ命令とデータを提供することができる。メモリ６２０の一部は不揮発性ランダムアクセスメモリを含むことができる。例えば、メモリ６２０は装置タイプの情報を記憶することもできる。
【０１２９】
該バスシステム６３０はデータバス以外、電源バス、制御バス及び状態信号バスなどを含むことができる。しかしながら、説明を明確にするために、図では様々なバスシステムがバスシステム６３０として標識される。
【０１３０】
実施プロセスでは、上記方法の各ステップは、プロセッサ６１０内のハードウェアの集積論理回路又はソフトウェアの形の命令によって完了されてもよい。本発明の実施例と組み合わせて開示された方法のステップは、ハードウェアプロセッサによって実行されて完了され、又はプロセッサにおけるハードウェア及びソフトウェアモジュールの組み合わせによって実行されて完了されるように直接具現化されてもよい。ソフトウェアモジュールはランダムアクセスメモリ、フラッシュメモリ、読み取り専用メモリ、プログラマブル読み取り専用メモリ又は電気的消去可能プログラマブルメモリ、レジスタなどの本分野における成熟した記憶媒体に位置してもよい。該記憶媒体はメモリ６２０に位置し、プロセッサ６１０はメモリ６２０における情報を読み取り、そのハードウェアと組み合わせて上記方法のステップを完了する。繰り返しを回避するために、ここで詳細な説明を省略する。
【０１３１】
理解すべきものとして、本発明の実施例による信号を伝送するための端末装置６００は本発明の実施例における端末装置及び端末装置４００に対応してもよく、そして本発明の実施例による方法における端末装置に対応してもよく、そして端末装置６００の各ユニットの上記と他の操作及び／又は機能はそれぞれ図８における方法の対応するプロセスを実現するためのものであり、簡潔するために、ここでは説明を省略する。
【０１３２】
理解すべきものとして、本発明の実施例による端末装置の各ユニットの操作及び／又は機能がそれぞれ方法側における端末装置に対応し、そしてネットワークとのインタラクション及び関連特性、機能などがネットワーク装置側の関連特性、機能に対応し、簡潔にするために、説明を省略する。
【０１３３】
理解すべきものとして、本発明の実施例では、「Ａに対応するＢ」がＢがＡと関連することを示し、Ａに基づいてＢを確定することができる。しかし、理解すべきものとして、Ａに基づいてＢを確定することはＡのみに基づいてＢを確定することを意味せず、Ａ及び／又は他の情報に基づいてＢを確定することができる。
【０１３４】
当業者であれば、本明細書で開示された実施例と組み合わせて説明された各例のユニット及びアルゴリズムステップは、電子ハードウェア、又はコンピュータソフトウェアと電子ハードウェアの組み合わせで実現されてもよいと理解でき、ハードウェアとソフトウェアの互換性を明確に説明するために、以上の説明において各例の構成及びステップを機能に従って一般的に説明した。これらの機能がハードウェア又はソフトウェアで実行されるかは、技術的解決策の特徴応用と設計制約条件に依存する。当業者は各特定のアプリケーションに対して異なる方法を用いて記述される機能を実現することが可能であるが、このような実現は本発明の実施例の範囲を超えると見なしてはならない。
【０１３５】
当業者は、便利および簡潔に説明するために、上記のシステム、装置及びユニットの具体的な動作プロセスについて、前記方法の実施例における対応するプロセスを参照できるため、ここでは説明を省略することを明確に理解することができる。
【０１３６】
本開示が提供する、いくつかの実施例では、開示されたシステム、装置および方法は、他の方式により実現されてもよいと理解すべきである。例えば、上記の装置の実施例は例示的なものだけであり、例えば、該ユニットの区分は、論理機能的区分だけであり、実際に実施する時に他の区分モードもあり得て、例えば複数のユニットまたは構成要素は組み合わせてもよいまたは別のシステムに統合されてもよい。また、本開示の各実施例における各機能ユニットは一つの処理ユニットに統合されてもよく、個々のユニットは単独で物理的に存在してもよく、二つまたは二つ以上のユニットは一つのユニットに統合されてもよい。上記の統合されたユニットはハードウェアの形態で実現されてもよく、ソフトウェア機能ブロックの形態で実現されてもよい。
【０１３７】
該統合されたユニットは、ソフトウェア機能ユニットの形態で実現され且つ独立した製品として販売または使用される場合、一つのコンピュータ可読記憶媒体に格納されてもよい。このような理解に基づき、本開示の技術的解決策は本質的に又は従来技術に寄与する部分又は該技術的解決策の全て又は一部がソフトウェア製品の形で実現されてもよく、該コンピュータソフトウェア製品がコンピュータ装置（パーソナルコンピュータ、サーバ、又はネットワークデバイス等であってもよい）に本発明の様々な実施例に記載された該方法の全て又は一部のステップを実行させるためのいくつかの命令を含む、記憶媒体に記憶される。前記憶媒体はＵディスク、モバイルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる各種の媒体を含む。
【０１３８】
以上は、本開示の具体的な実施形態だけであり、本開示の保護範囲はこれに制限されず、当業者が本開示に開示された技術範囲内で容易に想到し得る変化又は入れ替わりが全て本開示の保護範囲以内に含まれるべきである。したがって、本開示の保護範囲は特許請求の範囲によって準拠するべきである。
【図１】
2019536345.tif 000003
【図２】
2019536345.tif 000004
【図３】
2019536345.tif 000005
【図４】
2019536345.tif 000006
【図５】
2019536345.tif 000007
【図６】
2019536345.tif 000008
【図７】
2019536345.tif 000009
【図８】
2019536345.tif 000010
【図９】
2019536345.tif 000011
【図１０】
2019536345.tif 000012
【図１１】
2019536345.tif 000013
【図１２】
2019536345.tif 000014
【手続補正書】
【提出日】令和1年5月14日(2019.5.14)
【手続補正１】
【補正対象書類名】特許請求の範囲
【補正対象項目名】全文
【補正方法】変更
【補正の内容】
【特許請求の範囲】
【請求項１】
信号を伝送するための方法であって、
第一の端末装置へ指示情報を送信することであって、前記指示情報がダウンリンク制御信号を受信するために前記第一の端末装置によって用いられるリソース領域を示すことに用いられることと、
前記リソース領域で前記第一の端末装置へ前記ダウンリンク制御信号を送信することとを含むことを特徴とする、前記方法。
【請求項２】
信号を伝送するための方法であって、
ネットワーク装置から送信された指示情報を受信することであって、前記指示情報がダウンリンク制御信号を受信するために第一の端末装置によって用いられるリソース領域を示すことに用いられることと、
前記指示情報に基づき、前記リソース領域で前記ネットワーク装置から送信された前記ダウンリンク制御信号を受信することとを含むことを特徴とする、前記方法。
【請求項３】
前記リソース領域が複数の物理リソースブロックを含み、前記複数の物理リソースブロックのいずれかの２つの物理リソースブロックが周波数領域において連続的又は離散的であることを特徴とする
請求項２に記載の方法。
【請求項４】
前記指示情報は第一のビットテーブルを含み、前記第一のビットテーブルにおける各ビットがシステム帯域幅における各物理リソースブロックに対応し、前記第一のビットテーブルにおける第一の値であるビットは該ビットに対応する物理リソースブロックが前記リソース領域に属することを示すことを特徴とする
請求項３に記載の方法。
【請求項５】
前記指示情報は開始周波数ポイント及び第二のビットテーブルを含み、前記第二のビットテーブルにおける複数のビットが前記開始周波数ポイントから連続する複数の物理リソースブロックに対応し、前記複数のビットが前記複数の物理リソースブロックと一対一で対応し、前記第二のビットテーブルにおける第一の値であるビットは該ビットに対応する物理リソースブロックが前記リソース領域に属することを示すことを特徴とする
請求項３に記載の方法。
【請求項６】
前記指示情報はシステム帯域幅における前記リソース領域の開始位置を示すための開始周波数ポイント及びシステム帯域幅における終了位置を示すための終了周波数ポイントを含むことを特徴とする
請求項３に記載の方法。
【請求項７】
前記指示情報はシステム帯域幅における前記リソース領域の開始位置を示すための開始周波数ポイント及び前記リソース領域の帯域幅長を含むことを特徴とする
請求項３に記載の方法。
【請求項８】
前記ネットワーク装置から送信された指示情報を受信することは、
システムメッセージ又は上位層シグナリングにより前記第一の端末装置から送信された前記指示情報を受信することを含むことを特徴とする
請求項４−７のいずれか一項に記載の方法。
【請求項９】
前記リソース領域は第一のスロット又は第一のミニスロットにおける第一の直交周波数分割多重（ＯＦＤＭ）シンボルから始まる少なくとも一つの連続したＯＦＤＭシンボルを含み、前記指示情報は前記リソース領域における前記第一のスロット又は前記第一のミニスロットに属するＯＦＤＭシンボルの数を含むことを特徴とする
請求項２に記載の方法。
【請求項１０】
ネットワーク装置から送信された指示情報を受信することは、
システムメッセージ、上位層シグナリング又は物理層シグナリングにより前記ネットワーク装置から送信された前記指示情報を受信することを含むことを特徴とする
請求項９に記載の方法。
【請求項１１】
前記上位層シグナリングは無線リソース制御（ＲＲＣ）メッセージを含み、前記システムメッセージはシステム情報ブロック（ＳＩＢ）メッセージ及び物理ブロードキャストチャネル（ＰＢＣＨ）メッセージを含み、前記物理層シグナリングは少なくとも一つのスロット又は少なくとも一つのミニスロットから送信された共通シグナリング又は前記第一の端末装置への専用シグナリングを含むことを特徴とする
請求項１０に記載の方法。
【請求項１２】
前記指示情報に基づき、前記リソース領域で前記ネットワーク装置から送信された前記ダウンリンク制御信号を受信することは、
前記指示情報に基づき、前記リソース領域で前記ネットワーク装置から送信された、前記第一の端末装置のダウリンク制御チャネルに対応する少なくとも一つの制御チャネルユニットを受信することと、
前記少なくとも一つの制御チャネルユニットに基づいて組み合わせて前記ダウンリンク制御信号を生成することとを含むことを特徴とする
請求項２−１１のいずれか一項に記載の方法。
【請求項１３】
前記リソース領域で前記ネットワーク装置から送信された前記ダウンリンク制御信号を受信することは、
前記リソース領域に対応するビームを使用して、前記リソース領域で前記ネットワーク装置から送信された前記ダウンリンク制御信号を受信することを含むことを特徴とする
請求項２−１２のいずれか一項に記載の方法。
【請求項１４】
信号を伝送するためのネットワーク装置であって、
命令を記憶するメモリと
請求項１に記載の方法を実行するために前記命令を実行するプロセッサとを備えることを特徴とする、前記ネットワーク装置。
【請求項１５】
信号を伝送するための端末装置であって、
命令を記憶するメモリと
請求項２−１３のいずれか一項に記載の方法を実行するために前記命令を実行するプロセッサとを備えることを特徴とする、前記端末装置。
【国際調査報告】
2019536345.tif 000015
2019536345.tif 000016
2019536345.tif 000017
2019536345.tif 000018